(57)【要約】【課題】シール材が劣化して止水機能を失ったとしても、またシール材を用いなくても、水の侵入を抑制する。【解決手段】目地ジョイナー２０は、外壁下地材１に取り付けられたサイディング１１の継ぎ目３０を構成するサイディング１１の端面１１ａ間に配置される突条部２１を有する本体２５を含む。突条部２１は、サイディング１１の端面１１ａとそれぞれ対向する一対の対向壁２１ａと、一対の対向壁２１ａの外壁下地材１と最も離れた端部同士を接続する接続壁２１ｂとを有し、一対の対向壁２１ａには、一対の対向壁２１ａ及び接続壁２１ｂに囲まれる内部空間２１ｄと外部とを連通する孔２１ａ１が形成されている。【選択図】図１
2019070234.tif 000002
【特許請求の範囲】
【請求項１】
サイディング用の目地ジョイナーであって、
前記サイディングの継ぎ目を構成する前記サイディングの端面間に配置される突条部を有する本体を備えており、
前記突条部は、前記サイディングの端面とそれぞれ対向する一対の対向壁と、当該目地ジョイナーを取り付けたときに外側となる前記一対の対向壁の一端部同士を接続する接続壁とを有し、
前記一対の対向壁及び前記接続壁の少なくともいずれかには、前記突条部の内部空間と外部とを連通する孔が形成されていることを特徴とする目地ジョイナー。
【請求項２】
前記本体は、前記突条部の一対の対向壁の他端部から横側に張り出し、前記サイディングの継ぎ目側端部を内側裏面から受ける受け部を有しており、
前記孔は、前記接続壁に形成されており、
前記受け部の外側表面には、第１パッキンが設けられていることを特徴とする請求項１に記載の目地ジョイナー。
【請求項３】
前記本体は、前記突条部の一対の対向壁の他端部から横側に張り出し、前記サイディングの継ぎ目側端部を内側裏面から受ける受け部を有しており、
前記突条部は、内側が開口しており、
前記本体の内側裏面には、前記開口を覆う第２パッキンが設けられていることを特徴とする請求項１に記載の目地ジョイナー。
【請求項４】
前記本体は、前記受け部の先端から内側に向かって延在する側板部、及び、前記側板部の内側の端部から横側に張り出す取付板部をさらに有していることを特徴とする請求項２又は３に記載の目地ジョイナー。
【請求項５】
前記本体は、前記取付板部の先端から前記サイディングに向かって延在し、前記サイディングの前記内側裏面と当接可能な突出部をさらに有していることを特徴とする請求項４に記載の目地ジョイナー。
【請求項６】
表面に防水シートが設けられた外壁下地材と、
前記外壁下地材に前記防水シートを介して取り付けられた目地ジョイナーと、
前記目地ジョイナーを継ぎ目に挟んで前記外壁下地材に取り付けられたサイディングと、を備えており、
前記目地ジョイナーは、前記サイディングの継ぎ目を構成する前記サイディングの端面間に配置される突条部を有しており、
前記突条部には、貫通孔が形成されていることを特徴とする外壁構造。
【請求項７】
前記突条部は、その内側端部から横側に張り出し、前記サイディングの継ぎ目側端部を内側裏面から受ける受け部を有し、
前記貫通孔は、前記突条部の外側に形成されており、
前記サイディングの継ぎ目側端部と前記受け部との間に第１パッキンが設けられていることを特徴とする請求項６に記載の外壁構造。
【発明の詳細な説明】
【技術分野】
【０００１】
本発明は、サイディングと外壁下地材との間に配置される目地ジョイナー及びこれを用いた外壁構造に関する。
【背景技術】
【０００２】
建築物では、例えば、構造合板、防水シート、胴縁などで構成される外壁下地材の施工後、建築物の外装となるサイディングが胴縁又は通気金具を介して外壁下地材に取り付けられる。このサイディングは、目地において直線的に接合された外観を得る必要がある。そこで、目地の位置合わせを行う目地ジョイナーが用いられる。
【０００３】
目地ジョイナーとして、特許文献１に記載のような、突条部を有するものがある。この目地ジョイナーは、突条部の両側にサイディングの端面を突き合わせ、その端面間に継ぎ目が構成される。そして、目地ジョイナーの突条部の先端側にコーキング材（シール材）が充填され、継ぎ目から雨水などの水が内部に侵入しないように止水される。
【先行技術文献】
【特許文献】
【０００４】
【特許文献１】特開２００４−６８４６４号公報
【発明の概要】
【発明が解決しようとする課題】
【０００５】
しかしながら、上記特許文献１に記載の目地ジョイナーにおいては、自身が止水機能を有していないため、サイディングの収縮や反り、また経年劣化等によって、コーキング材の止水機能が失われてしまうと、水がサイディングの継ぎ目から目地ジョイナーとサイディングとの間の隙間を介してサイディングと外壁下地材との間に侵入する。このように水が侵入すると、サイディングの外壁下地材と対向する裏面などにカビなどが生じやすくなるばかりか、外壁下地材の内部へと水が侵入する虞がある。このため、コーキング材の打ち直し工事を行うなどの大掛かりな工事が必要となる。また、サイディングの継ぎ目にコーキング材を用いないものに、上記の目地ジョイナーを用いた場合、止水機能がないため、水がサイディングの継ぎ目からサイディングと外壁下地材との間に侵入するという問題が生じる。
【０００６】
そこで、本発明の目的は、シール材が劣化して止水機能を失ったとしても、またシール材を用いなくても、水の侵入を抑制することが可能な目地ジョイナー及びこれを用いた外壁構造を提供することである。
【課題を解決するための手段】
【０００７】
本発明の目地ジョイナーは、サイディング用の目地ジョイナーであって、前記サイディングの継ぎ目を構成する前記サイディングの端面間に配置される突条部を有する本体を備えている。そして、前記突条部に貫通孔（開口）を設けたことを特徴とする。例えば、前記突条部は、前記サイディングの端面とそれぞれ対向する一対の対向壁と、当該目地ジョイナーを取り付けたときに外側となる前記一対の対向壁の一端部同士を接続する接続壁とを有し、前記一対の対向壁及び前記接続壁の少なくともいずれかには、前記突条部の内部空間と外部とを連通する孔が形成されている。
【０００８】
これによると、サイディングの継ぎ目から侵入する水が孔に入りやすくなって、サイディングと突条部との間から内側への水の侵入を抑制することが可能となる。例えば、サイディングの継ぎ目にシーリング材を充填しないオープンジョイントとした場合であっても、外壁通気工法のようにサイディングと外壁下地材との間に通気層を設けることで、外壁内外で気圧の差を発生させずにできて、サイディングと突条部との間から外壁内側に雨水が容易に入らないようにでき、もしサイディングの継ぎ目から雨水が浸入したとしても、雨水を孔から突条部内に侵入させて、突条部内（内部空間）に入った雨水を内部空間内において下方へと導いて外部に排出することができる。
【０００９】
また、本発明において、前記本体は、前記突条部の一対の対向壁の他端部から横側に張り出し、前記サイディングの継ぎ目側端部を内側裏面から受ける受け部を有しており、前記孔は、前記接続壁に形成されており、前記受け部の外側表面には、第１パッキンが設けられていることが好ましい。これによって、サイディングと突条部との間から外壁内側に雨水が浸入するのを防止できる。
【００１０】
また、本発明において、前記本体は、前記突条部の一対の対向壁の他端部から横側に張り出し、前記サイディングの継ぎ目側端部を内側裏面から受ける受け部を有しており、前記突条部は、内側が開口しており、前記本体の内側裏面には、前記開口を覆う第２パッキンが設けられていることが好ましい。これにより、孔を介して内部空間に入った水が、サイディングの内側へ漏れ出すのを効果的に抑制することが可能となる。
【００１１】
また、本発明において、前記本体は、前記受け部の先端から内側に向かって延在する側板部、及び、前記側板部の内側の端部から横側に張り出す取付板部をさらに有していることが好ましい。これにより、外壁下地材とサイディングとの間に通気層を形成でき、オープンジョイントとした場合であっても、外壁内外で気圧の差を発生させずにできて、サイディングと突条部との間から外壁内側に雨水が侵入するのを効果的に抑制することが可能となる。
【００１２】
また、本発明において、前記本体は、前記取付板部の先端から前記サイディングに向かって延在し、前記サイディングの前記内側裏面と当接可能な突出部をさらに有していることが好ましい。これにより、受け部とサイディングとの間から水が侵入したとしても、突出部よりも外側に濡れ広がるのを抑制することが可能となる。
【００１３】
本発明の外壁構造は、表面に防水シートが設けられた外壁下地材と、前記外壁下地材に前記防水シートを介して取り付けられた目地ジョイナーと、前記目地ジョイナーを継ぎ目に挟んで前記外壁下地材に取り付けられたサイディングと、を備えている。そして、前記目地ジョイナーは、前記サイディングの継ぎ目を構成する前記サイディングの端面間に配置される突条部を有しており、前記突条部には、貫通孔（開口）が形成されている。
【００１４】
これによると、サイディングの継ぎ目から侵入する水が孔に入りやすくなって、サイディングと外壁下地材との間に向かう水が少なくなる。このため、サイディングと外壁下地材との間への水の侵入を抑制することが可能となる。例えば、サイディングの継ぎ目にシーリング材を充填しないオープンジョイントとした場合であっても、外壁通気工法のようにサイディングと外壁下地材との間に通気層を設けることで、外壁内外で気圧の差を発生させずにできて、サイディングと突条部との間から外壁内側に雨水が容易に入らないようにでき、継ぎ目から雨水が侵入したとしても雨水を貫通孔から突条部内へ侵入させることができる。なお、貫通孔を介して突条部の内部空間に入った水は内部空間内において下方へと流れて外部に排出される。また、防水シートによって外壁下地材の内部に水が侵入するのを抑制することが可能となる。
【００１５】
また、本発明において、前記突条部は、その内側端部から横側に張り出し、前記サイディングの継ぎ目側端部を内側裏面から受ける受け部を有し、前記貫通孔は、前記突条部の外側に形成されており、前記サイディングの継ぎ目側端部と前記受け部との間に第１パッキンが設けられていることが好ましい。これにより、サイディングと突条部との間から外壁内側に雨水が浸入するのを防止でき、貫通孔を介して突条部の内部空間に入った水が、サイディングと外壁下地材との間の空間へ浸入するのを効果的に抑制することが可能となる。
【発明の効果】
【００１６】
本発明の目地ジョイナー及び外壁構造によると、サイディングの継ぎ目から侵入する水が孔に入りやすくなって、サイディングと外壁下地材との間に向かう水が少なくなる。このため、サイディングと外壁下地材との間への水の侵入を抑制することが可能となる。
【図面の簡単な説明】
【００１７】
【図１】本発明の一実施形態に係る目地ジョイナーが用いられた外壁構造の要部横断面図である。
【図２】図１に示す目地ジョイナーの要部斜視図である。
【図３】第１変形例に係る外壁構造の要部横断面図である。
【図４】第２変形例に係る目地ジョイナーが用いられた外壁構造の要部横断面図である。
【図５】第３変形例に係る目地ジョイナーが用いられた外壁構造の要部横断面図である。
【図６】第４変形例に係る目地ジョイナーが用いられた外壁構造の要部横断面図である。
【図７】第５変形例に係る目地ジョイナーが用いられた外壁構造の要部横断面図である。
【図８】第６変形例に係る目地ジョイナーが用いられた外壁構造の要部横断面図である。
【図９】第７変形例に係る目地ジョイナーが用いられた外壁構造の要部横断面図である。
【発明を実施するための形態】
【００１８】
以下、本発明の一実施形態に係る目地ジョイナー２０、及び目地ジョイナー２０が用いられた外壁構造１００について、図１及び図２を参照しつつ以下に説明する。なお、図１は、外壁構造の要部横断面図であり、図１中紙面垂直方向が鉛直方向Ａであり、図１に示す上方が表面側（外側）、下方が裏面側（内側）である。また、図１中左右を左右方向（横方向）Ｂとする。他の図においても、説明の便宜上、図１に示す方向を基準として示す。
【００１９】
本実施形態における外壁構造１００は、図１に示すように、外壁下地材１と、外壁下地材１に取り付けられた複数のサイディング１１と、目地ジョイナー２０とで構成されている。外壁下地材１は、複数の柱（不図示）に固定される構造用合板１ａ、構造用合板１ａの表面１ａ１に貼り付けられた透湿防水シート１ｂ、及び、透湿防水シート１ｂ及び構造用合板１ａを介して柱又は間柱に固定される竪胴縁（ともに不図示）など、公知の部材によって構成されている。
【００２０】
複数のサイディング１１は、図１に示すように、左右方向Ｂの端面１１ａを外壁下地材１に固定された目地ジョイナー２０の突条部２１に当接させた状態（目地ジョイナー２０を継ぎ目３０に挟んだ状態）で、金具（不図示）などを用いて外壁下地材１に固定されている。これにより、複数のサイディング１１が目地ジョイナー２０によって位置決めされ、鉛直方向Ａに延在する継ぎ目３０が端面１１ａ間に構成される。
【００２１】
目地ジョイナー２０は、図１に示すように、外壁下地材１側に配置され、サイディング１１の位置決めをするものである。目地ジョイナー２０は、図２に示すように、一方向（鉛直方向Ａ）に沿って長尺に形成されており、その長手方向が鉛直方向となるようにして、外壁下地材１の透湿防水シート１ｂ上に釘９（図１中二点鎖線で示す）などで固定される。目地ジョイナー２０は、突条部２１及び２つの受け部２２を有する本体２５を含む。
【００２２】
本体２５は、薄い金属板を折り曲げて構成された一枚の板金部材からなり、鉛直方向Ａに沿って長尺に形成されている。本実施形態における本体２５は、鋼板やアルミニウム板などの金属板から構成されているが、硬質合成樹脂板から構成されていてもよい。
【００２３】
突条部２１は、図１に示すように、サイディング１１の端面１１ａとそれぞれ対向する一対の対向壁２１ａと、一対の対向壁２１ａの外壁下地材１と最も離れた端部（外側端部）を接続する接続壁２１ｂとを有しており、外壁下地材１に向かって開口する凹形状となっている。突条部２１の一対の対向壁２１ａのそれぞれには、図１及び図２に示すように、突条部２１の内部空間２１ｄと外部とを連通する複数の孔（貫通孔）２１ａ１が形成されている。内部空間２１ｄは、本体２５と外壁下地材１との間であって一対の対向壁２１ａ及び接続壁２１ｂによって囲まれている。また、内部空間２１ｄは、鉛直方向Ａに沿って延在しており、その両端において、外部と連通している。複数の孔２１ａ１は、各対向壁２１ａにおいて、鉛直方向Ａに沿って長尺に延在しており、且つ鉛直方向Ａに互いに離隔して配置されている。なお、図１及び図２には、各対向壁２１ａに１つの孔２１ａ１のみ示している。
【００２４】
２つの受け部２２は、一対の対向壁２１ａの外壁下地材１側（内側）の端部から左右方向Ｂに沿って横側にそれぞれ張り出すようにして形成されている。また、各受け部２２は、図１に示すように、サイディング１１の継ぎ目側端部の裏面（内側裏面）１１ｃを受ける。
【００２５】
このような目地ジョイナー２０は、図１に示すように、受け部２２と透湿防水シート１ｂとが接するようにして配置されるとともに、受け部２２の表面２２ａから釘９によって目地ジョイナー２０が外壁下地材１に固定される。この後、端面１１ａを突条部２１に当接させつつ裏面１１ｃが受け部２２の表面２２ａに当接するようにして、２枚のサイディング１１が金具によって外壁下地材１に取り付けられる。なお、目地ジョイナー２０は、２枚のサイディング１１が外壁下地材１に取り付けられたときに、サイディング１１の表面１１ｂと突条部２１の先端面（接続壁２１ｂの表面）とが同一平面レベルに配置されるように、構成されている。こうして、外壁構造１００が構成される。
【００２６】
以上に述べたように、本実施形態の目地ジョイナー２０及びこれを用いた外壁構造１００によると、サイディング１１の継ぎ目３０から突条部２１と端面１１ａとの間に水が侵入してきても、当該水が孔２１ａ１に入りやすくなる。このため、サイディング１１と外壁下地材１との間に向かう水が少なくなり、サイディング１１と外壁下地材１との間への水の侵入を抑制することが可能となる。このように目地ジョイナー２０に孔２１ａ１が形成されていることで、継ぎ目３０にコーキング材（シール材）が設けられていなくても、水の侵入を抑制することができる。なお、孔２１ａ１を介して内部空間２１ｄに入った水は内部空間２１ｄ内において下方へと流れて外部に排出される。また、突条部２１の開口２１ｃは、透湿防水シート１ｂによって覆われて塞がれている。このため、孔２１ａ１を介して内部空間２１ｄに入った水が外壁下地材１の内部への侵入や、サイディング２１と外壁下地材１との間の空間へ漏れ出すのを抑制することが可能となる。
【００２７】
また、サイディング１１の継ぎ目３０にシール材を充填しないオープンジョイントとした場合であっても、外壁通気工法のようにサイディング１１と外壁下地材１との間に通気層を設けることで、外壁内外で気圧の差を発生させずにできて、サイディング１１と突条部２１との間から外壁内側に雨水が容易に入らないようにでき、もしサイディング１１の継ぎ目３０から雨水が浸入したとしても、雨水を孔２１ａ１から突条部２１内に侵入させて、突条部２１内（内部空間２１ｄ）に入った雨水を内部空間２１ｄ内において下方へと導いて外部に排出することができる。
【００２８】
第１変形例に係る外壁構造１５０について、図３を参照しつつ以下に説明する。なお、上述の実施形態と同様なものに関しては、同じ符号で示し説明を省略する。本変形例における外壁構造１５０は、端面１１１ａ間に構成された継ぎ目１３０において、コーキング材（不定形シール材によるシーリング材、シール材）５０が、サイディング１１１の表面１１１ｂ側に充填して形成されている。また、サイディング１１１は、上述のサイディング１１よりも厚みが分厚く形成されているだけで、これ以外はサイディング１１と同様である。外壁構造１５０は、これらの点が上述の外壁構造１００と異なるだけで、これら以外は外壁構造１００とほぼ同様である。目地ジョイナー２０は、コーキング材５０よりも外壁下地材１側（すなわち、内側）に配置されている。本変形例におけるコーキング材５０は、公知の変成シリコンから構成されているが、他の材質から構成されていてもよい。このような外壁構造１５０においては、継ぎ目１３０に１次シールとしてのコーキング材５０が配置されていることで、継ぎ目１３０内に水が入りにくくなる。また、コーキング材５０が劣化して止水機能を失ったとしても、目地ジョイナー２０に孔２１ａ１が形成されていることで、上述の実施形態と同様に、水の侵入を抑制することができる。
【００２９】
第２変形例として、目地ジョイナー２２０が用いられた外壁構造２００及び目地ジョイナー２２０について、図４を参照しつつ以下に説明する。なお、上述の実施形態と同様なものに関しては、同じ符号で示し説明を省略する。外壁構造２００は、目地ジョイナー２０が目地ジョイナー２２０に変わっただけで、上述の外壁構造１００とほぼ同様である。
【００３０】
目地ジョイナー２２０は、図４に示すように、上述の突条部２１とほぼ同様な突条部２２１と、閉塞部２２２とを有する本体２２５を含む。本変形例における本体２２５は、硬質合成樹脂から構成されているが、他の材料から構成されていてもよい。突条部２２１は、一対の対向壁２２１ａと、接続壁２２１ｂとを有している。接続壁２２１ｂには、孔２１ａ１と同様な孔（貫通孔）２２１ｂ１が複数形成されている。複数の２２１ｂ１は、鉛直方向Ａに沿って互いに離隔して配置されている。閉塞部２２２は、接続壁２２１ｂと対向しており、一対の対向壁２２１ａの外壁下地材１側（内側）の端部同士を接続している。つまり、突条部２２１の外壁下地材１側の開口を閉塞している。このような目地ジョイナー２２０は、図４に示すように、閉塞部２２２と透湿防水シート１ｂとが接するようにして配置されると共に、閉塞部２２２の表面（内部空間２２１ｄ側）から釘９によって目地ジョイナー２２０が外壁下地材１に固定される。なお、釘９は、孔２２１ｂ１を介して閉塞部２２２に向けて打ち込めばよい。また、目地ジョイナー２２０は、両面粘着テープなどで外壁下地材１に接着して固定してもよい。
【００３１】
このような第２変形例の目地ジョイナー２２０及び目地ジョイナー２２０が用いられた外壁構造２００においても、上述の実施形態と同様に、サイディング１１の継ぎ目３０から侵入しようとする水が孔２２１ｂ１に入りやすくなる。このため、サイディング１１と外壁下地材１との間に向かう水が少なくなり、サイディング１１と外壁下地材１との間への水の侵入を抑制することが可能となる。なお、孔２２１ｂ１を介して内部空間２２１ｄに入った水は内部空間２２１ｄ内において下方へと流れて外部に排出される。なお、内部空間２２１ｄは、上述の内部空間２１ｄと同様に鉛直方向Ａの上端及び下端において、外部と連通している。また、突条部２２１の開口は、閉塞部２２２によって塞がれているため、孔２２１ｂ１を介して内部空間２２１ｄに入った水が外壁下地材１の内部への侵入や、サイディング２１と外壁下地材１との間の空間へ漏れ出さない。
【００３２】
第３変形例として、目地ジョイナー３２０が用いられた外壁構造３００及び目地ジョイナー３２０について、図５を参照しつつ以下に説明する。なお、上述の実施形態及び第１，２変形例と同様なものに関しては、同じ符号で示し説明を省略する。外壁構造３００は、目地ジョイナー２０が目地ジョイナー３２０に変わっただけで、上述の外壁構造１５０とほぼ同様である。
【００３３】
目地ジョイナー３２０は、図５に示すように、上述の本体２５と、２つの第１パッキン２６と、第２パッキン２７とを有している。２つの第１パッキン２６は、ゴムなどの弾性体から構成されており、各受け部２２の表面（外側表面）２２ａに接着剤などで固定されている。また、各第１パッキン２６は、鉛直方向Ａに沿って長尺に形成されており、鉛直方向Ａにおいて、受け部２２の全体に亘って配置されている。このような目地ジョイナー３２０により、サイディング１１１が位置決めされたときに、第１パッキン２６がサイディング１１１の裏面（内側裏面）１１１ｃに当接する。このため、各受け部２２とサイディング１１１との間を第１パッキン２６で止水することが可能となる。なお、第１パッキン２６は、軟質樹脂、発泡樹脂など押圧されることで止水性を発揮することが可能な弾性体であれば、どのような材質から構成されていてもよい。
【００３４】
第２パッキン２７は、第１パッキン２６と同様な材料から構成されており、鉛直方向Ａにおいて、第１パッキン２６と同じ長さを有し、長尺に形成されている。また、第２パッキン２７は、左右方向Ｂに互いに離隔した受け部２２の裏面（内側裏面）２２ｂに亘って配置されており、突条部２１の開口２１ｃを塞いでいる。第２パッキン２７も接着剤などで受け部２２に固定されている。
【００３５】
このような目地ジョイナー３２０は、図５に示すように、第２パッキン２７と透湿防水シート１ｂとが接するようにして配置されるとともに、受け部２２の表面２２ａから釘９によって目地ジョイナー３２０が外壁下地材１に固定される。この後、端面１１１ａを突条部２１に当接させつつ裏面１１１ｃが第１パッキン２６に当接するようにして、２枚のサイディング１１１が金具によって外壁下地材１に取り付けられる。そして、コーキング材５０が継ぎ目１３０に充填されて形成される。こうして、外壁構造３００が構成される。
【００３６】
このような第３変形例の目地ジョイナー３２０及び目地ジョイナー３２０が用いられた外壁構造３００によると、上述の実施形態及び第１変形例と同様な構成においては、同じ効果を得ることができる。また、１次シールであるコーキング材５０が劣化して止水機能を失った場合でも、サイディング１１１の継ぎ目１３０から侵入した水が孔２１ａ１に入りやすくなり、２次シールとして機能する。さらに、３次シールとしての第１パッキン２６によってサイディング１１１と外壁下地材１との間への水の侵入をより抑制することが可能となる。また、本実施形態による外壁構造３００においては、コーキング材５０による１次シール、孔２１ａ１による２次シール、第１パッキン２６による３次シール、透湿防水シート１ｂによる４次シールが実現された構造となる。このため、建築物の外壁構造が漏水に対する防水効果が非常に高くなる。なお、第２パッキン２７が開口２１ｃを覆っているため、孔２１ａ１を介して内部空間２１ｄに入った水が、サイディング１１１と外壁下地材１との間の空間へ漏れ出すのを効果的に抑制することが可能となる。このため、水が内部空間２１ｄから左右方向Ｂであってサイディング１１１と外壁下地材１との間において濡れ広がらない。
【００３７】
第４変形例として、目地ジョイナー４２０が用いられた外壁構造４００及び目地ジョイナー４２０について、図６を参照しつつ以下に説明する。なお、上述の実施形態及び第３変形例と同様なものに関しては、同じ符号で示し説明を省略する。外壁構造４００は、目地ジョイナー２０が目地ジョイナー４２０に変わっただけで、上述の外壁構造１００とほぼ同様である。
【００３８】
目地ジョイナー４２０は、図６に示すように、上述の第３変形例の目地ジョイナー３２０とほぼ同様な構成を有しているが、孔２１ａ１が一対の対向壁２１ａに形成されておらず、接続壁２１ｂに孔２１ａ１と同様な複数の孔（貫通孔）２１ｂ１が形成されて構成されている。
【００３９】
このような第４変形例の目地ジョイナー４２０及び目地ジョイナー４２０が用いられた外壁構造４００によると、上述の実施形態と同様に、サイディング１１の継ぎ目３０から侵入しようとする水が孔２１ｂ１に入りやすくなる。このため、サイディング１１と外壁下地材１との間に向かう水が少なくなり、サイディング１１と外壁下地材１との間への水の侵入を抑制することが可能となる。なお、第３変形例と同様な構成においては、同じ効果を得ることができる。
【００４０】
第５変形例として、目地ジョイナー５２０が用いられた外壁構造５００及び目地ジョイナー５２０について、図７を参照しつつ以下に説明する。なお、上述の第３変形例と同様なものに関しては、同じ符号で示し説明を省略する。外壁構造５００は、目地ジョイナー３２０が目地ジョイナー５２０に変わっただけで、上述の外壁構造３００とほぼ同様である。
【００４１】
目地ジョイナー５２０は、図７に示すように、第３変形例の本体２５に、２つの側板部３２１、２つの取付板部３２２及び２つの突出部３２３をさらに有してなる本体３２５を含む。２つの側板部３２１は、受け部２２の先端（左右方向Ｂにおける外側端）のそれぞれから外壁下地材１側（内側）に向かって延在している。２つの取付板部３２２は、目地ジョイナー５２０を外壁下地材１に釘９で取り付けるための部分であり、側板部３２１の外壁下地材１側（内側）の端部のそれぞれから左右方向Ｂに沿って横側に張り出している。２つの突出部３２３は、取付板部３２２の先端（左右方向Ｂにおける外側端）のそれぞれからサイディング１１１に向かって延在し、サイディング１１１の裏面１１１ｃと当接可能に設けられている。また、各突出部３２３のサイディング１１１側の端部は、その先端が外側において外壁下地材１側に折り返されている。
【００４２】
なお、本変形例においては、受け部２２で外壁下地材１に固定する必要がないため、受け部２２の表面２２ａ全体に第１パッキン２６を設けている。これにより、受け部２２とサイディング１１１との間から水がより一層侵入しにくくなる。また、第２パッキン２７は、左右方向Ｂに互いに離隔した取付板部３２２の裏面（内側裏面）に亘って配置されており、突条部２１の開口２１ｃ及び側板部３２１の外壁下地材１側の端部間の開口３２１ａの両方を塞いでいる。これにより、孔２１ａ１を介して内部空間２１ｄに入った水が、上述と同様に、外壁下地材１とサイディング１１１との間の空間に漏れ出すのを抑制することが可能となる。なお、第２パッキン２７は、第３変形例の第２パッキン２７のように、受け部２２に固定された状態であってもよい。この場合、第２パッキン２７を介さずに取付板部３２２が透湿防水シート１ｂに接触しつつ目地ジョイナー５２０が外壁下地材１に固定される。
【００４３】
このような第５変形例の目地ジョイナー５２０及び目地ジョイナー５２０が用いられた外壁構造５００によると、上述の実施形態及び第３変形例と同様な構成においては、同じ効果を得ることができる。さらに、目地ジョイナー５２０が、側板部３２１及び取付板部３２２を有しているため、外壁下地材１からサイディング１１１が表面側にある程度離れて取り付けられていても、サイディング１１１と外壁下地材１との間への水の侵入を効果的に抑制することが可能となる。換言すると、サイディング１１１と外壁下地材１との間の空間の幅を大きく取るときなど、サイディング１１１を外壁下地材１から表面側にある程度離隔させて配置しても、目地ジョイナー５２０を上述のように配置することができるため、サイディング１１１と外壁下地材１との間への水の侵入を効果的に抑制することが可能となる。また、目地ジョイナー５２０が突出部３２３を有していることで、第１パッキン２６又は受け部２２とサイディング１１１との間から水が侵入しても、突出部３２３よりも左右方向Ｂに水が濡れ広がるのを抑制することが可能となる。
【００４４】
第６変形例として、目地ジョイナー６２０が用いられた外壁構造６００及び目地ジョイナー６２０について、図８を参照しつつ以下に説明する。なお、上述の第５変形例と同様なものに関しては、同じ符号で示し説明を省略する。外壁構造６００は、第５変形例の目地ジョイナー５２０が目地ジョイナー６２０に変わっただけで、上述の外壁構造５００とほぼ同様である。
【００４５】
目地ジョイナー６２０は、図８に示すように、第５変形例の目地ジョイナー５２０とほぼ同様な構成を有しているが、孔２１ａ１が一対の対向壁２１ａの左方にのみ形成され、第１パッキン２６が右方の受け部２２の表面２２ａにのみ設けられて構成されている。
【００４６】
このような第６変形例の目地ジョイナー６２０及び目地ジョイナー６２０が用いられた外壁構造６００によると、一対の対向壁２１ａのうちの左方に孔２１ａ１が形成されているため、１次シールであるコーキング材５０が劣化して止水機能を失った場合、サイディング１１１の継ぎ目１３０から左方の受け部２２側に水が流れてきても、孔２１ａ１に水が入りやすくなる。このため、サイディング１１１と左方の受け部２２との間に向かう水が少なくなる。この結果、継ぎ目１３０から左方の受け部２２側に水が流れてきても、サイディング１１１と外壁下地材１との間への水の侵入を抑制することが可能となる。なお、継ぎ目１３０から右方の受け部２２側に水が流れてきても、第１パッキン２６によって止水されるため、上述と同様の効果を得ることができる。また、上述の実施形態、第５変形例と同様な構成においては、同じ効果を得ることができる。
【００４７】
第７変形例として、目地ジョイナー７２０が用いられた外壁構造７００及び目地ジョイナー７２０について、図９を参照しつつ以下に説明する。なお、上述の第５変形例と同様なものに関しては、同じ符号で示し説明を省略する。外壁構造７００は、第５変形例の目地ジョイナー５２０が目地ジョイナー７２０に変わっただけで、上述の外壁構造５００とほぼ同様である。
【００４８】
目地ジョイナー７２０は、図９に示すように、第５変形例の目地ジョイナー５２０とほぼ同様な構成を有しているが、孔２１ａ１が一対の対向壁２１ａに形成されておらず、接続壁２１ｂに孔２１ａ１と同様な複数の孔２１ｂ１が形成されており、右方の突出部３２３が形成されていない。
【００４９】
このような第７変形例の目地ジョイナー７２０及び目地ジョイナー７２０が用いられた外壁構造７００によると、接続壁２１ｂに孔２１ｂ１が形成されていることで、１次シールであるコーキング材５０が劣化して止水機能を失った場合、サイディング１１１の継ぎ目１３０から孔２１ｂ１に水が入りやすくなる。このため、サイディング１１１と第１パッキン２６又は受け部２２との間に向かう水が少なくなる。この結果、サイディング１１１と外壁下地材１との間への水の侵入をより抑制することが可能となる。なお、上述の実施形態、第５変形例と同様な構成においては、同じ効果を得ることができる。
【００５０】
以上、本発明の好適な実施の形態について説明したが、本発明は上述の実施の形態に限られるものではなく、特許請求の範囲に記載した限りにおいて様々な変更が可能なものである。例えば、上述の実施形態においては、突条部２１の一対の対向壁２１ａのそれぞれに複数の孔２１ａ１が形成されているが、１つの孔２１ａ１だけが形成されていてもよいし、一方の対向壁２１ａにだけ孔２１ａ１が形成されていてもよい。また、孔２１ａ１，２１ｂ１，２２１ｂ１の形状は、円形や楕円など、どのような形状でもよい。さらに、孔２１ａ１，２１ｂ１，２２１ｂ１は、害虫などが入り込みにくい程度の開口サイズであることが好ましい。また、第２及び第４変形例において、孔２１ｂ１，２２１ｂ１が１つだけ設けられていてもよい。また、透湿防水シート１ｂに代えて単なる防水シートであってもよい。
【符号の説明】
【００５１】
１  外壁下地材
１ｂ  透湿防水シート（防水シート）
１１，１１１  サイディング
１１ａ，１１１ａ  端面
１１ｃ，１１１ｃ  裏面
２０，２２０，３２０，４２０，５２０，６２０，７２０  目地ジョイナー
２１，２２１  突条部
２１ａ１，２１ｂ１，２２１ｂ１  孔（貫通孔）
２１ｃ  開口
２１ｄ，２２１ｄ  内部空間
２２  受け部
２２ａ  表面
２５  本体
２６  第１パッキン
２７  第２パッキン
３０，１３０  継ぎ目
５０  コーキング材
３２１  側板部
３２２  取付板部
３２３  突出部
１００，１５０，２００，３００，４００，５００，６００，７００  外壁構造
【図１】
2019070234.tif 000003
【図２】
2019070234.tif 000004
【図３】
2019070234.tif 000005
【図４】
2019070234.tif 000006
【図５】
2019070234.tif 000007
【図６】
2019070234.tif 000008
【図７】
2019070234.tif 000009
【図８】
2019070234.tif 000010
【図９】
2019070234.tif 000011